(57)【要約】  【課題】  原稿押えや原稿台ガラスに筋状の汚れが生じても原稿サイズを正確に検出することができる画像処理装置を提供する。  【解決手段】  画像処理回路２０８の領域判別部５１３は、複合機１が原稿４０をすべて読み取り終えた後に搬送ベルト１０８を読み取って、搬送ベルト１０８上で副走査方向に伸びる筋状の汚れを含む領域を検出する。領域記憶部５１４は領域判別部５１３が検出した領域の位置と範囲を記憶する。原稿サイズ検出部５１５は、領域記憶部５１４が記憶する領域を除外した領域を参照して原稿サイズを検出し、これを画像形成部３０に入力する。  【選択図】  図２
2006295404.tif 000002
【特許請求の範囲】
【請求項１】
原稿を載置する原稿台ガラスと、
画像を読み取る読取手段と、
原稿台ガラスに原稿を載置しない状態で読み取った画像から、筋状の画像である筋画像を検出する検出手段と、
原稿台ガラスに原稿を載置した状態で読み取った画像から原稿エッジを検出することによって原稿サイズを特定する特定手段と、を備え、
特定手段は、検出手段にて検出した筋画像以外の画像から原稿エッジを特定する
ことを特徴とする画像処理装置。
【請求項２】
読取手段は、主走査方向を長手方向とするＣＣＤラインセンサにて画像を読み取る
ことを特徴とする請求項１に記載の画像処理装置。
【請求項３】
特定手段は、検出手段にて検出した筋画像を含む領域以外にある画像から原稿エッジを特定する
ことを特徴とする請求項１に記載の画像処理装置。
【請求項４】
画像の読み取りを要求する読取要求を受け付ける受付手段を備え、
読取手段がひとつの読取要求に係る読み取りを完了するたびに、検出手段が筋画像を検出する
ことを特徴とする請求項１に記載の画像処理装置。
【発明の詳細な説明】
【技術分野】
【０００１】
本発明は、画像処理装置に関し、特に、原稿サイズの誤検出を防止する技術に関する。
【背景技術】
【０００２】
近年、複写機は原稿のサイズを自動的に検出することによって、ユーザの便宜を図っている。複写機が原稿のサイズを検出するためには、原稿を読取ガラスに押し付ける原稿押え等、原稿以外の部分と原稿との境界（以下、「原稿エッジ」という。）を検出する必要がある。この場合において、原稿押えが汚れていると原稿サイズを正しく検出することができない。
【０００３】
これに対して、例えば、原稿押えの汚れのピッチよりもビーム径が大きな発光ダイオードのビームで原稿面上を走査し、反射光量の急激な変化を検出することによって原稿エッジを検出する技術が提案されている（特許文献１を参照）。このようにすれば、原稿押えの汚れに起因する反射光量の変化を抑えることができるので、原稿エッジの誤検出を低減することができる。
【特許文献１】特開平９−１６３０８３号公報
【発明の開示】
【発明が解決しようとする課題】
【０００４】
しかしながら、自動原稿搬送装置（ADF: Automatic Document Feeder）を備えた複写機では、原稿押えや原稿台ガラスに原稿が擦れることによって、副走査方向に筋状の汚れが生じる。このような汚れがあると、上記従来技術によっても原稿エッジの誤検出を免れない。
本発明は、上述のような問題に鑑みて為されたものであって、原稿押えや原稿台ガラスに筋状の汚れが生じても原稿サイズを正確に検出することができる画像処理装置を提供することを目的とする。
【課題を解決するための手段】
【０００５】
上記目的を達成するため、本発明に係る画像処理装置は、原稿を載置する原稿台ガラスと、画像を読み取る読取手段と、原稿台ガラスに原稿を載置しない状態で読み取った画像から、筋状の画像である筋画像を検出する検出手段と、原稿台ガラスに原稿を載置した状態で読み取った画像から原稿エッジを検出することによって原稿サイズを特定する特定手段と、を備え、特定手段は、検出手段にて検出した筋画像以外の画像から原稿エッジを特定することを特徴とする。
【発明の効果】
【０００６】
このようにすれば、原稿押えや原稿台ガラスに筋状の汚れが生じても原稿サイズを正確に検出することができる。特に、自動原稿搬送装置にて原稿が副走査方向に搬送されることによって、原稿台ガラスや自動原稿搬送装置の搬送ベルトに筋状の汚れが付着するような場合に生じる原稿サイズの誤検出を効果的に防止することができる。
本発明に係る画像処理装置は、読取手段は、主走査方向を長手方向とするＣＣＤラインセンサにて画像を読み取ることを特徴とする。このようにすれば、ＣＣＤラインセンサを原稿サイズの検出に兼用するので専用のセンサを要しない。従って、画像処理装置のコストを低減することができる。
【０００７】
本発明に係る画像処理装置は、特定手段は、検出手段にて検出した筋画像を含む領域以外にある画像から原稿エッジを特定することを特徴とする。このようにすれば、筋画像だけでなく筋画像の周辺部分も除外されるので、読み取りの際に生じる位置ずれにかかわらず誤検出を防止することができる。
本発明に係る画像処理装置は、画像の読み取りを要求する読取要求を受け付ける受付手段を備え、読取手段がひとつの読取要求に係る読み取りを完了するたびに、検出手段が筋画像を検出することを特徴とする。このようにすれば、複数枚の原稿に係る読み取り要求を受け付けた際に、すべての原稿を読み取り終えた後に筋画像を検出するので、単位時間に読み取ることができる原稿数を大きくすることができる。
【発明を実施するための最良の形態】
【０００８】
以下、本発明に係る画像処理装置の実施の形態について、複合機能機（MFP: Multiple Functional Peripheral。以下、単に「複合機」という。）を例にとり、図面を参照しながら説明する。
［１］  複合機の構成
本実施の形態に係る複合機の構成について説明する。
【０００９】
（１）  全体構成
図１は、本発明の実施の形態に係る複合機の概略構成を示す断面図である。図１に示されるように、複合機１は自動原稿搬送部１０、読取部２０及び画像形成部３０とからなっている。自動原稿搬送部１０は搬送ローラ１０１〜１０５、駆動ローラ１０６、従動ローラ１０７及び搬送ベルト１０８を備えており、読み取るべき原稿４０がセットされている。読取部２０は原稿台ガラス２０１、光源２０２、ミラー２０３〜２０５、レンズ２０６、ＣＣＤ（Charge Coupled Device）ラインセンサ２０７、画像処理回路２０８、光学台２０９、２１０及び排紙トレイ２１１を備えている。画像形成部３０は読取部２０が読み取った画像データに基づいて画像形成を行う。
【００１０】
複合機１は搬送ローラ１０１〜１０４及び搬送ベルト１０８にて原稿台ガラス２０１上に原稿４０を導く。搬送ベルト１０８は駆動ローラ１０６及び従動ローラ１０７にて駆動される。原稿台ガラス２０１上に載置された原稿４０は光源２０２からの光を反射する。原稿４０からの反射光はミラー２０３〜２０５を経由した後、レンズ２０６にてＣＣＤラインセンサ２０７上に結像される。ＣＣＤラインセンサ２０７が光電変換によって得た画像信号は画像処理回路２０８にて処理される。
【００１１】
光源２０２とミラー２０３とは光学台２０９に、また、ミラー２０４、２０５は光学台２１０に固定されている。複合機１は原稿４０を読み取りながら、不図示のステッピングモータを用いて光学台２０９、２１０を原稿台ガラス２０１に沿って移動させる。このようにして、複合機１はＣＣＤラインセンサ２０７にて１ラインずつ画像データを読み取る。複合機１は原稿４０を読み取り終えると、搬送ベルト１０８及び搬送ローラ１０５にて原稿４０を排紙トレイ２１１に排出する。
【００１２】
複合機１は原稿４０をすべて読み取り終えると、搬送ベルト１０８を読み取り、筋状の画像である筋画像を検出することによって、搬送ベルト１０８上で副走査方向に伸びる筋状の汚れを含む領域を検出して、記憶する。以後、原稿サイズを検出する際にこの筋状の汚れを含む領域は除外される。
（２）  画像処理回路２０８の構成
次に、画像処理回路２０８の構成について説明する。
【００１３】
図２は、画像処理回路２０８の主要な機能構成を示すブロック図である。図２に示されるように、画像処理回路２０８は画像合成部５０１、Ａ／Ｄ変換部５０２、シェーディング補正部５０３、ライン間補正部５０４、色収差補正部５０５、変倍・移動処理部５０６、色変換部５０７、マニュアル下地調整部５０８、電子ソート用メモリ５０９、オート下地調整部５１０、色補正部５１１、ＭＴＦ補正部５１２、領域判別部５１３、領域記憶部５１４及び原稿サイズ検出部５１５を備えている。画像処理部２０８はＣＣＤラインセンサ２０７から画像信号を受け付け、画像処理を施した後、画像形成部３０へ画像データを出力する。
【００１４】
さて、画像処理回路２０８が備える画像合成部５０１はＣＣＤラインセンサ２０７が出力する色毎に画像を合成してアナログ画像信号を生成する。Ａ／Ｄ変換部５０２は画像合成部５０１が生成したアナログ画像信号をデジタル画像信号に変換する。シェーディング補正部５０３はデジタル画像信号にシェーディング補正を施す。ライン間補正部５０４はデジタル画像信号にライン間補正を施す。色収差補正部５０５はデジタル画像信号の色収差を補正する。色収差補正部５０５の出力は変倍・移動処理部５０６と原稿サイズ検出部５１５とに入力される。
【００１５】
変倍・移動処理部５０６はユーザの要求に応じて変倍処理（用紙指定変倍、独立変倍）や移動処理（とじ代、センタリング、コーナリング、上下並行移動）を実行する。色変換部５０７はデジタル画像信号をＲＧＢ表色系からＬａｂ表色系へと変換する色変換処理を実行する。マニュアル下地調整部５０８はユーザの要求に応じて下地調整処理を実行する。電子ソート用メモリ５０９はユーザの要求に応じてソート処理を実行する際に用いられるメモリである。
【００１６】
オート下地調整部５１０はユーザの要求によらず下地調整処理を実行する。オート下地調整部５１０の出力は色補正部５１１と領域判別部５１３とに入力される。色補正部５１１はＣＣＤラインセンサ２０７で読み取られたすべての色を画像形成部３０で表現できる色空間内で偏ることなく最小の色差で表現するために、デジタル画像信号をＬａｂ表色系からＣＭＹＫ表色系へと変換する。ＭＴＦ（Modulation Transfer Function）補正部５１２は文字や線画を原稿に忠実に先鋭に再生するためのＭＴＦ補正処理を実行する。
【００１７】
領域判別部５１３は、複合機１が原稿４０を読み取った際に、ＭＴＦ補正部を制御するための制御信号を生成して、出力する。領域判別部５１３は、複合機１が原稿４０をすべて読み取り終えた後に搬送ベルト１０８を読み取った際に、搬送ベルト１０８上で副走査方向に伸びる筋状の汚れを含む領域を検出する。領域記憶部５１４は領域判別部５１３が検出した領域の位置と範囲を記憶する。原稿サイズ検出部５１５は、領域記憶部５１４が記憶する領域を除外した領域を参照して原稿サイズを検出し、これを画像形成部３０に入力する。
【００１８】
（３）  領域判別部５１３の構成
次に、領域判別部５１３の構成について説明する。
図３は、領域判別部５１３の主要な機能構成を示すブロック図である。図３に示されるように、領域判別部５１３はカラー信号作成部６０１、各種エッジ信号作成部６０２、画像ノイズ領域信号作成部６０３、網点領域信号作成部６０４及びカラー信号作成部６０５を備えている。
【００１９】
カラー信号作成部６０１は出力したデジタル画像信号から黒色領域信号（_BLACK）を生成して、出力する。各種エッジ信号作成部６０２はＬ信号を受け付けると、網点判別用孤立点信号（WAMI（白孤立点）、KAMI（黒孤立点））、文字内エッジ信号（_INEDG）及び文字エッジ領域信号（_EDG）を生成して、出力する。画像ノイズ領域信号作成部６０３は、各種エッジ信号作成部６０２が出力した文字エッジ領域信号（_EDG）を受け付けてノイズ領域信号（_NOISE）を生成し、領域記憶部５１４へ出力する。
【００２０】
網点領域信号作成部６０４は各種エッジ信号作成部６０２から網点判別用孤立点信号（WAMI、KAMI）を受け付けて網点領域信号（_AMI）を生成し、出力する。ＭＴＦ制御信号作成部６０５はカラー信号作成部６０１から黒色領域信号（_BLACK）を、各種エッジ信号作成部６０２から文字内エッジ信号（_INEDG）及び文字エッジ領域信号（_EDG）を、また、網点領域信号作成部６０４からは網点領域信号（_AMI）を受け付けてＭＴＦ補正部制御信号（CMPX、KMPX）を生成し、ＭＴＦ補正部５１２へ出力する。
【００２１】
（４）  各種エッジ信号作成部６０２の構成
次に各種エッジ信号作成部６０２の構成について説明する。
図４は、各種エッジ信号作成部６０２の主要な機能構成を示すブロック図である。図４に示されるように、各種エッジ信号作成部６０２はマトリクス作成部７０１、主走査１次微分フィルタ７０２、副走査１次微分フィルタ７０３、２次微分フィルタ（＋）７０４、２次微分フィルタ（×）７０５、内エッジ判別フィルタ７０６、孤立点検出部７０７、比較器７０８〜７１１、ＮＯＲ素子７１２を備えている。
【００２２】
このうち、主走査１次微分フィルタ７０２、副走査１次微分フィルタ７０３、２次微分フィルタ（＋）７０４、２次微分フィルタ（×）７０５、内エッジ判別フィルタ７０６及び孤立点検出部７０７は特徴抽出フィルタを構成する。
マトリクス作成部７０１はＬ信号を受け付けて画素の５×５マトリクスを生成し、特徴抽出フィルタに入力する。
【００２３】
主走査１次微分フィルタ７０２は、５×５マトリクスについて主走査方向の１次微分を実行する。副走査１次微分フィルタ７０３は、５×５マトリクスについて副走査方向の１次微分を実行する。２次微分フィルタ（＋）７０４は、主走査方向及び副走査方向について５×５マトリクスの２次微分を算出する。２次微分フィルタ（×）７０５は、主走査方向及び副走査方向に斜交する方向について５×５マトリクスの２次微分を算出する。内エッジ判別フィルタ７０６は、５×５マトリクスについて内エッジの有無を判定する。
【００２４】
孤立点検出部７０７は、５×５マトリクスにおける孤立点を検出する。すなわち、５×５マトリクスで中心画素の値が周囲８画素の値よりも大きく、かつ、８方向の２画素平均値よりも大きければ白孤立点とし、ＷＡＭＩ信号を出力する。また、中心画素の値が周囲８画素の値よりも小さく、かつ、８方向の２画素平均値よりも小さければ黒孤立点とし、ＫＡＭＩ信号を出力する。
【００２５】
比較器７０８は、主走査１次微分フィルタ７０２の出力値と副走査１次微分フィルタ７０２の出力値とを比較して大きい方の値を出力する。比較器７１０は比較器７０８の出力値と所定値（EDGREF）とを比較して、比較器７０８の出力値の方が大きければ、論理値が真であることを示す信号を出力する。さもなければ、偽であることを示す信号を出力する。
【００２６】
比較器７０９は２次微分フィルタ（＋）７０４の出力と２次微分フィルタ（×）７０５の出力とを比較して大きい方の値を出力する。比較器７１１は比較器７０９の出力値と所定値（EDGREF）とを比較して、比較器７０９の出力値の方が大きければ、論理値が真であることを示す信号を出力する。さもなければ、偽であることを示す信号を出力する。ＮＯＲ素子７１２は比較器７０１、７１１の出力の否定論理和を算出して、結果を出力する。
【００２７】
（５）  画像ノイズ領域信号作成部６０３の構成
次に、画像ノイズ領域信号作成部６０３の構成を説明する。
図５は、画像ノイズ領域信号作成部６０３の構成を示す回路図である。図５に示されるように、画像ノイズ領域信号作成部６０３は複数の遅延素子８０１とＮＯＲ素子８０２とを備えている。画像ノイズ領域信号作成部６０３は文字エッジ領域信号（_EDG）を主走査同期信号（_TG）に同期して遅延素子８０１の個数だけシフトした信号すべてについて論理積（AND）を求めて画像ノイズ領域信号（_NOISE）を生成する。これによって、文字エッジ領域信号（_EDG）が副走査方向に所定ライン数だけ連続している領域の位置と範囲とを検出する。
【００２８】
［２］  複合機１の動作
次に、複合機１の動作について説明する。
（１）  メインルーチン
図６は、複合機１の主要な動作を示すフローチャートである。図６に示されるように、複合機１は操作パネルのスタートボタンが押下されると（Ｓ６０１：ＹＥＳ）、自動原稿搬送部１０に原稿がセットされたか否かを確認する。原稿がセットされていたら（Ｓ６０２：ＹＥＳ）、原稿を１枚だけ搬送する（Ｓ６０３）。原稿を搬送した後、及び自動原稿搬送部１０に原稿がセットされていない場合には、原稿サイズを検出する（Ｓ６０４）。そして、原稿を読み取った後（Ｓ６０５）、自動原稿搬送部１０に原稿が残っていたら（Ｓ６０６：ＹＥＳ）、前の原稿を排出した後、次の原稿を搬送し（Ｓ６０２）、上記の処理を繰り返す。
【００２９】
自動原稿搬送部１０に原稿が残っていなければ（Ｓ６０６：ＮＯ）、ゴミ検出処理を実行する（Ｓ６０７）。その後、及びスタートボタンが押下されなかった場合には（Ｓ６０１：ＮＯ）、スタートボタンの押下を待つ。
（２）  原稿サイズ検出処理（Ｓ６０４）
次に、原稿サイズ検出処理（Ｓ６０４）について説明する。なお、複合機１は原稿の副走査方向のサイズについては専用のセンサを用いて検出するので、ここでは、専ら原稿の主走査方向のサイズを検出する処理について説明する。
【００３０】
図７は、原稿台ガラス２０１上に載置された原稿を読み取って得られた画像を例示する図である。図７に示されるように、原稿９０２は読取領域９０１の一隅に配置されている。また、原稿９０２と共に搬送ベルト１０８又は原稿台ガラス２０１上に付着した筋状の汚れ９０３も読み取られている。
主走査方向の原稿サイズは副走査方向に伸びる原稿エッジを検出することによってなされるところ、汚れ９０３のように副走査方向に伸びる図形が読み取られると、原稿エッジの検出を誤り、原稿サイズを誤検出するおそれがある。これに対して、本実施の形態においては原稿を読み取って排紙した後に搬送ベルト１０８及び原稿台ガラス２０１を読み取って汚れ９０３を検出し、汚れ９０３を含む領域を除外して原稿サイズを検出する。このようにすれば、搬送ベルト１０８や原稿台ガラス２０１の汚れに起因する原稿エッジの誤検出、延いては原稿サイズの誤検出を防止することができる。
【００３１】
図８は、原稿サイズ検出処理（Ｓ６０４）を例示するフローチャートである。図８に示されるように、複合機１は原稿サイズ検出部５１５にて、先ず、変数ｓを０にした後（Ｓ８０１）、エッジ検出ループ（Ｓ８０２〜Ｓ８０９）を実行する。すなわち、Ｎ個の画素を有するＣＣＤラインセンサ２０７の画素毎に副走査方向に並ぶ画素値を辿り、画素の階調値が所定のしきい値よりも大きい否かを判定する。そして、階調値がしきい値よりも大きければ（Ｓ８０３：ＹＥＳ）、当該画素が領域記憶部５１４にて記憶されている領域に属するか否かを判定する。当該画素が当該領域に属していなければ（Ｓ８０４：ＮＯ）、変数ｓの値を１だけ増加させる（Ｓ８０５）。
【００３２】
当該画素が当該領域に属している場合（Ｓ８０４：ＹＥＳ）、及び画素の階調値がしきい値よりも大きくない場合には（Ｓ８０３：ＮＯ）、変数ｓの値を定数Ｓと比較する。変数ｓの値が定数Ｓよりも大きければ（Ｓ８０６：ＹＥＳ）、変数ｓの値と変数ｎの値とを記憶し（Ｓ８０７）、変数ｓの値を０にする（Ｓ８０８）。この定数Ｓは副走査方向に伸びるスジの長さの最小値を規定する定数であって、原稿サイズ検出部５１５は定数Ｓにて規定される長さよりも長いスジを原稿エッジとして検出する。
【００３３】
１からＮまでのすべてのｎについて上述の処理を終えた後、原稿サイズ検出部５１５は記憶した変数ｓの値のうち最も大きいものに対応するｎを主走査方向の原稿エッジの位置として原稿サイズを決定する（Ｓ８１０）。
（３）  ゴミ検出処理（Ｓ６０７）
次に、ゴミ検出処理（Ｓ６０７）について説明する。
【００３４】
図９は、ゴミ検出処理（Ｓ６０７）を例示するフローチャートである。図９に示されるように、領域判別部５１３は、先ず、変数ｓを０にした後（Ｓ９０１）、汚れ検出ループ（Ｓ９０２〜Ｓ９０８）を実行する。すなわち、Ｎ個の画素を有するＣＣＤラインセンサ２０７の画素毎に副走査方向に並ぶ画素値を辿り、画素の階調値が所定のしきい値よりも大きい否かを判定する。そして、階調値がしきい値よりも大きければ（Ｓ９０３：ＹＥＳ）、変数ｓの値を１だけ増加させる（Ｓ９０４）。
【００３５】
画素の階調値がしきい値よりも大きくない場合には（Ｓ９０３：ＮＯ）、変数ｓの値を定数Ｓと比較する。変数ｓの値が定数Ｓよりも大きければ（Ｓ９０５：ＹＥＳ）、変数ｓの値と変数ｎの値とを記憶し（Ｓ９０６）、変数ｓの値を０にする（Ｓ９０７）。この定数Ｓは副走査方向に伸びる汚れの長さの最小値を規定する定数であって、領域判別部５１３は定数Ｓにて規定される長さよりも長い汚れを検出し、領域記憶部５１４にて記憶する。１からＮまでのすべてのｎについて上述の処理を終えると、ゴミ検出処理は終了する。
【００３６】
［３］  変形例
以上、本発明を実施の形態に基づいて説明してきたが、本発明が上述の実施の形態に限定されないのは勿論であり、以下のような変形例を実施することができる。
（１）  上記実施の形態においては、自動原稿搬送部１０にセットされた原稿すべてを読み取った後に汚れ検出を行なうとしたが、本発明がこれに限定されないのは言うまでもなく、原稿を読み取る毎に汚れを検出しても良い。
【００３７】
また、原稿が原稿台ガラス２０１上に手置きされる場合には、スタートボタンが押下されてから所定時間以上、例えば１０分以上、押下されなかった場合に汚れを検出しても良い。このようにすれば、手置きで画像を読み取る場合であっても、原稿を読み取るたびには汚れを検出しないので、直ぐに次の原稿を読み取ることができる。従って、ユーザの利便性を向上させることができる。
【００３８】
（２）  上記実施の形態においては、特に言及しなかったが、領域判別部５１３にて検出した汚れの領域が、既に検出した領域に含まれ、または一致する場合には、領域記憶部５１４にて記憶しないこととしても良い。また、新たに検出した領域が既に検出した領域を含む場合には、既に検出した領域に代えて新たに検出した領域を記憶することとしても良い。このようにすれば、領域記憶部５１４にて使用する記憶容量を低減することができる。
【産業上の利用可能性】
【００３９】
本発明に係る画像処理装置は、原稿サイズの誤検出を防止する技術として有用である。
【図面の簡単な説明】
【００４０】
【図１】本発明の実施の形態に係る複合機の概略構成を示す断面図である。
【図２】本発明の実施の形態に係る画像処理回路２０８の主要な機能構成を示すブロック図である。
【図３】本発明の実施の形態に係る領域判別部５１３の主要な機能構成を示すブロック図である。
【図４】本発明の実施の形態に係る各種エッジ信号作成部６０２の主要な機能構成を示すブロック図である。
【図５】本発明の実施の形態に係る画像ノイズ領域信号作成部６０３の構成を示す回路図である。
【図６】本発明の実施の形態に係る複合機１の主要な動作を示すフローチャートである。
【図７】本発明の実施の形態に係る原稿台ガラス２０１上に載置された原稿を読み取って得られた画像を例示する図である。
【図８】本発明の実施の形態に係る原稿サイズ検出処理（Ｓ６０４）を例示するフローチャートである。
【図９】本発明の実施の形態に係るゴミ検出処理（Ｓ６０７）を例示するフローチャートである。
【符号の説明】
【００４１】
１…………………複合機
１０………………自動原稿搬送部
２０………………読取部
３０………………画像形成部
４０、９０２……原稿
１０１〜１０５…搬送ローラ
１０６……………駆動ローラ
１０７……………従動ローラ
１０８……………搬送ベルト
２０１……………原稿台ガラス
２０２……………光源
２０３〜２０５…ミラー
２０６……………レンズ
２０７……………ＣＣＤラインセンサ
２０８……………画像処理回路
２０９、２１０…光学台
２１１……………排紙トレイ
５０１……………画像合成部
５０２……………Ａ／Ｄ変換部
５０３……………シェーディング補正部
５０４……………ライン間補正部
５０５……………色収差補正部
５０６……………変倍・移動処理部
５０７……………色変換部
５０８……………マニュアル下地調整部
５０９……………電子ソート用メモリ
５１０……………オート下地調整部
５１１……………色補正部
５１２……………ＭＴＦ補正部
５１３……………領域判別部
５１４……………領域記憶部
５１５……………原稿サイズ検出部
６０１……………カラー信号作成部
６０２……………各種エッジ信号作成部
６０３……………画像ノイズ領域信号作成部
６０４……………網点領域信号作成部
６０５……………カラー信号作成部
７０１……………マトリクス作成部
７０２……………主走査１次微分フィルタ
７０３……………副走査１次微分フィルタ
７０４……………２次微分フィルタ（＋）
７０５……………２次微分フィルタ（×）
７０６……………内エッジ判別フィルタ
７０７……………孤立点検出部
７０８〜７１１…比較器
７１２……………ＮＯＲ素子
８０１……………遅延素子
８０２……………ＮＯＲ素子
９０１……………読取領域
９０３……………汚れ
【図１】
2006295404.tif 000003
【図２】
2006295404.tif 000004
【図３】
2006295404.tif 000005
【図４】
2006295404.tif 000006
【図５】
2006295404.tif 000007
【図６】
2006295404.tif 000008
【図７】
2006295404.tif 000009
【図８】
2006295404.tif 000010
【図９】
2006295404.tif 000011